(57)【要約】【目的】  簡単に製作が可能であり、しかも効率的に幼児の寝冷えを防止できる寝冷え防止装具を提供すること。【構成】  請求項１記載の考案は、タオル地や毛布地等から成る略方形の布体の身体非接触面側に環部材を設け、該環部材に紐体を挿通した。請求項２記載の考案は布体に複数の孔部を設け、該孔部に紐体を挿通した。請求項３記載の考案は、布体の身体接触面側に紐部材を設けると共に、該紐部材をくくりつけるための環部材を身体接触面側あるいは身体非接触面側に設けた。請求項４記載の考案は一方端部が布体に固着され他方端部が布体と着脱自在なバンド部材を布体の身体接触面側に設けた。請求項５記載の考案は紐体の端部に締結部材を設けた。【選択図】        図１
0003111068.tif 000002
【実用新案登録請求の範囲】
【請求項１】
タオル地や毛布地等から成る略方形の布体の身体非接触面側に環部材を設け、該環部材に紐体を挿通したことを特徴とする寝冷え防止装具。
【請求項２】
タオル地や毛布地等から成る略方形の布体に複数の孔部を設け、該孔部に紐体を挿通したことを特徴とする寝冷え防止装具。
【請求項３】
布体の身体接触面側に紐部材を設けると共に、該紐部材をくくりつけるための環部材を身体接触面側あるいは身体非接触面側に設けたことを特徴とする請求項１又は請求項２に記載の寝冷え防止装具。
【請求項４】
一方端部が布体に固着され他方端部が布体と着脱自在なバンド部材を布体の身体接触面側に設けたことを特徴とする請求項１乃至請求項３に記載の寝冷え防止装具。
【請求項５】
紐体の端部に締結部材を設けた請求項１乃至請求項４に記載の寝冷え防止装具。  
【考案の詳細な説明】
【技術分野】
【０００１】
本考案は幼児の寝冷えを防止するための装具に関する。
【背景技術】
【０００２】
幼児は通常寝相が悪く、就寝時に掛け布団を掛けていても払いのけたり蹴飛ばしたりして掛け布団をはいでしまったり、更には布団外にはいずりでてしまったりすることが多々ある。そして布団が掛かっていない状態になると、幼児は寝冷えを起こす恐れがある。
【０００３】
そこで係る寝冷えを防止するためにタオルスリーパーと呼ばれる装具が市販されている。ここにタオルスリーパーとはタオル素材のシャツ形状体であり、サイドをホックや面ファスナにより開閉自在となしているものである。
【０００４】
又寝冷えを防止するための発明として特開平１０−５０９５号公報記載の寝冷え防止布団がある。ここに同公報記載の寝冷え防止布団は、幼児用掛け布団の一部に足を自由に出せる切り込みを設けてなるものである。
【特許文献１】特開平１０−５０９５号公報
【考案の開示】
【考案が解決しようとする課題】
【０００５】
前述のタオルスリーパーは衣服と類似のものであり、幼児に布団が掛かっていない状態になっても寝冷えを防止することが可能な有用発明である。ところがシャツ形状である点で製作工程が若干複雑になるという問題点もある。そこで本考案は簡単に製作が可能であり、しかも効率的に幼児の寝冷えを防止できる寝冷え防止装具を提供することを目的とする。
【課題を解決するための手段】
【０００６】
上記課題を解決するために請求項１記載の寝冷え防止装具は、タオル地や毛布地等から成る略方形の布体の身体非接触面側に環部材を設け、該環部材に紐体を挿通した。
【０００７】
又請求項２記載の寝冷え防止装具は、タオル地や毛布地等から成る略方形の布体に複数の孔部を設け、該孔部に紐体を挿通した。
【０００８】
更に請求項３記載の考案は、請求項１又は２記載の寝冷え防止装具における布体の身体接触面側に紐部材を設けると共に、該紐部材をくくりつけるための環部材を身体接触面側あるいは身体非接触面側に設けた。
【０００９】
又請求項４記載の考案は請求項１乃至３記載の寝冷え防止装具において、一方端部が布体に固着され他方端部が布体と着脱自在なバンド部材を布体の身体接触面側に設けた。
【００１０】
請求項５記載の考案は請求項１乃至４記載の寝冷え防止装具において、紐体の端部に締結部材を設けた。
【考案の効果】
【００１１】
１、  以下、考案の奏する効果を図面を参照しながら述べる。
【００１２】
図１は請求項１記載の考案の正面図であり、図２は請求項１記載の考案の他の実施例を示す正面図であり、図３は請求項２記載の考案の正面図であり、図４は同背面図であり、図５は請求項３記載の斜視図であり、図６は請求項３記載の考案の使用状態を示す説明図であり、図７は同じく使用状態を示す説明図であり、図８は請求項４記載の考案の斜視図であり、図９は請求項４記載の考案の使用状態を示す説明図であり、図１０は本考案の一実施例の使用状態を示す説明図であり、図１１は締結部材の一実施例を示す説明図であり、図１２は同じく他の実施例を示す説明図であり、図１３は同じく他の実施例を示す説明図である。
【００１３】
２、図１に示すように請求項１記載の考案は布体１０の着用時における身体非接触面側に環部材１１を設け、該環部材１１に紐体１２を緩挿して成るものである。かように構成される本考案の身体接触面側（図１においては図示されない背面側）が着用者たる幼児に接する態様で本考案を幼児に巻き付け、そのうえで紐体１２の端部同士を結び装着するものである。
【００１４】
かように請求項１記載の考案は布体１０に環部材１１を取り付け、紐体１２を挿通するという簡単な形状なものであるがゆえに容易に製作が可能となるのである。
【００１５】
更には幼児の体に直接巻き付けるものであるので、たとえ幼児が布団を払いのけたとしても寝冷えをする恐れが少ないのである。
【００１６】
３、  図３及び図４に示すように請求項２記載の考案は布体２０に複数の孔部２１が設けてあり、該孔部２１に紐体２２が緩挿してある。かように構成される本考案を、図４に示される背面側が着用者たる幼児に接する態様で幼児に巻き付け、そのうえで紐体２２の端部同士を結びつけ装着するものである。
【００１７】
かように請求項２記載の考案は布体２０に孔部２１を設け、紐体２２を挿通するという簡単な形状のものであるがゆえに容易に製作が可能となるのである。
【００１８】
更には幼児の体に直接巻き付けるものであるので、たとえ幼児が布団を払いのけたとしても寝冷えをする恐れが少ないのである。
【００１９】
４、  図５に示すように請求項３記載の考案は、布体３０の身体接触面側に紐部材３１が設けてある。この紐部材３１と環部材３２とを結びつけることで、本考案に係る寝冷え防止装具を幼児に巻き付けるのである。
【００２０】
すなわち図６に示すように紐部材３１と環部材３２によりまず本考案を幼児に巻き付け、更に図７に示すように紐体３３の端部同士を締結することで布体３０をしっかり固定するのである。
【００２１】
かように請求項３記載の考案によれば二重の締結手段を有するがゆえに、寝冷え防止装具を幼児にしっかり装着することが可能となり、より効果的に寝冷えを防止できるのである。
【００２２】
５、  図８に示すように請求項４記載の考案は布体４０の身体接触面側にバンド部材４１が設けてある。このバンド部材４１を用いて図９に示すように幼児と布体４０を固定する。更に布体４０を幼児に巻き付け、そのうえで紐体４２を用いて布体４０を幼児に固定するのである。
【００２３】
かように請求項４記載の考案によれば二重の締結手段を有するがゆえに、寝冷え防止装具を幼児にしっかり装着することが可能となり、より効果的に寝冷えを防止できるのである。
【００２４】
６、  図１１乃至図１３は請求項５記載の考案における締結部材の各種実施態様を示すものである。いずれも紐体の端部同士を固定するためのものであり、布体を幼児に巻き付け紐体で固定したときに、紐体の端部同士が外れ紐体がほどけてしまうことを防止するためのものである。
【００２５】
締結部材がかように紐体がほどけることを防止する働きを有するがゆえに、請求項５記載の考案によれば寝冷え防止装具を幼児にしっかり装着することが可能となり、より効果的に寝冷えを防止できるのである。
【考案を実施するための最良の形態】
【００２６】
以下、好ましい考案の実施形態につき図面を参照しながら述べる。
【００２７】
本考案に係る寝冷え防止装具を構成する布体１０，２０，３０，４０は略方形の形態を有するものであり、タオル地や毛布地で構成されるものである。具体的にはバスタオルやスポーツタオル、タオルケットや毛布等を用いて製作することが可能である。
【００２８】
又、紐体１２，２２，３３，４２は布ひも、ゴムひも、ベルトその他任意の紐状体を使用して成るものである。紐体１２，２２，３３，４２は布体１０，２０，３０，４０に縫着するといった方法で固着しても構わないし、環部材１１や孔部２１に緩挿するだけで取り外し自在に設けても構わない。
【００２９】
又紐体１２，２２，３３，４２の長さは布体１０，２０，３０，４０の縦幅に応じて調整することが好ましい。例えば図６及び図７に示すように縦幅が短いものであれば、紐体３３は幼児の身体に一重に巻き付ければ十分であるので紐体３３の長さは短いものでよい。他方で図１０に示すように布体１０の縦幅が幼児の足首付近まで覆うほど長いものであれば、紐体１２は幼児の身体の上下にわたり二重に巻き付けることが好ましい。よって紐体１２の長さも長尺なものとする必要がある。
【００３０】
請求項１記載の考案においては、上記のように構成される布体１０に環部材１１を取り付けて成るものである。環部材１１は布製の帯状体の両端を布体１０に固着して成るものである。固着方法は縫着、蒸着、接着その他任意方法で構わない。
【００３１】
図２は請求項１記載の考案の他の実施形態を示すものである。幅広の布状体を用いて背当て部材１３を形成し、該背当て部材１３に紐体１２を逢着したものである。背当て部材１３は布体１０を幼児に巻き付け紐体１２で固定した際に、紐体１２がずれることなどを防止するためのものである。
【００３２】
図３及び図４は請求項２記載の考案を示すものであり、布体２０には複数の孔部２１が設けてある。紐体２２は布体２０の正面側から背面側に孔部２１を挿通し、次いで隣設する孔部２１を通って背面側から正面側に挿通し、更に隣設する孔部２１から背面側に挿通するというふうに交互に正面側、背面側にくるように孔部２１に挿通してある。
【００３３】
図５に示すように請求項３記載の考案においては布体３０の身体接触面側に紐部材３１が設けてある。又紐部材３１をくくりつけるための環部材３２も設けてある。図５においては環部材３２は布体３０の身体接触面側に設けてあるが、身体非接触面側の端部付近に設けても構わない。ここに環部材３２は布製の帯状体の両端を布体１０に固着して成るものである。固着方法は縫着、蒸着、接着その他任意方法で構わない。
【００３４】
請求項４記載の考案は図８に示すように、布体４０の身体接触面側にバンド部材４１が設けてある。バンド部材４１の端部は布体４０に縫着その他の方法で固着されている。バンド部材４１の他方端部には面ファスナ４１ａが設けられている。そしてこの面ファスナ４１ａと接合する面ファスナ４１ｂが、布体４０の身体接触面側に設けられている。面ファスナ４１ａと４１ｂとを接合することで、図９に示すように幼児と布体４０を固定するのである。
【００３５】
尚、バンド部材４１の一方端部を布体４０と着脱自在とする手段は面ファスナに限られるものではなく、釦やホック等任意のもので構わない。
【００３６】
請求項５記載の考案における締結部材の、各種実施形態を示すものが図１１乃至図１３である。図１１に示す締結部材５０は紐体の一方端部に設けられた環部５１と他方端部に設けられた孔部５２，釦５３より構成されるものである。環部５１に紐体の他方端部を緩挿し、そのうえで折り返し、孔部５２に釦５３を嵌め込むことで紐体の端部同士を締結固定するのである。
【００３７】
図１２に示す締結部材６０は紐体の一方端部に凸型バックル６１を、他方端部に凹型バックル６２を取り付けてある。凸型バックル６１と凹型バックル６２を嵌合することで紐体の端部同士を締結固定するのである。
【００３８】
図１３に示す締結部材７０は、その一方端部に取り付けられた略Ｄ字型をなす２個の環部材７１，７１により成るものである。紐体の他方端部を２個の環部材７１，７１の中に緩挿し、次いで折り返し、そして一方の環部材７１の中に緩挿することで、紐体の端部同士を締結固定するのである。
【００３９】
尚、以上述べてきた各種締結部材はあくまで例示であり、紐体の端部同士を締結固定できるもの例えばホック、ジッパー、各種形態のバックル類、釦等任意のもので構わない。
【図面の簡単な説明】
【００４０】
【図１】請求項１記載の考案の正面図。
【図２】請求項１記載の考案の他の実施例を示す正面図。
【図３】請求項２記載の考案の正面図。
【図４】同背面図。
【図５】請求項３記載の考案の斜視図。
【図６】請求項３記載の考案の使用状態を示す説明図。
【図７】同じく使用状態を示す説明図。
【図８】請求項４記載の考案の斜視図。
【図９】請求項４記載の考案の使用状態を示す説明図。
【図１０】本考案の一実施例の使用状態を示す説明図。
【図１１】締結部材の一実施例を示す説明図。
【図１２】同じく他の実施例を示す説明図。
【図１３】同じく他の実施例を示す説明図。
【符号の説明】
【００４１】
１０，２０，３０，４０・・布体      １２，２２，３３，４２・・紐体
１１・・環部材      ２１・・孔部
３１・・紐部材      ３２・・環部材
４１・・バンド部材      ５０，６０，７０・・締結部材
【図１】
0003111068.tif 000003
【図２】
0003111068.tif 000004
【図３】
0003111068.tif 000005
【図４】
0003111068.tif 000006
【図５】
0003111068.tif 000007
【図６】
0003111068.tif 000008
【図７】
0003111068.tif 000009
【図８】
0003111068.tif 000010
【図９】
0003111068.tif 000011
【図１０】
0003111068.tif 000012
【図１１】
0003111068.tif 000013
【図１２】
0003111068.tif 000014
【図１３】
0003111068.tif 000015